(57)【要約】      （修正有）【課題】地震の目地部が狭くなる揺れ動きを吸収することができる天井用目地カバー装置を提供する。【解決手段】一方の建物の天井部位の躯体４に取付けられた先端部が、目地部２の端部へ突出位置し、かつ先端部で上方へガイドできる傾斜面６の固定目地カバー７と、この固定目地カバー７の先端部に先端部が位置し、後端部が他方の建物の目地部側の躯体８に位置して、目地部２を覆う可動目地カバー９と、この可動目地カバー９の後端部の上部位置の、他方の建物の目地部側の躯体８に固定あるいは前後方向にスライド移動可能に取付けられた複数個の係合ピン１１を有する支承レール１２と、可動目地カバー９の後端部に下端部が固定あるいはヒンジ部材１３を介して取付けられ、上端部が支承レール１２の複数個の係合ピン１１と上下移動および回動できるように係合あるいは上下移動できるように水平状態に支持、取付けられた可動目地カバー９とで構成する。【選択図】図２
2014125827.tif 000002
【特許請求の範囲】
【請求項１】
目地部を介して建てられた左右の建物の一方の建物の天井部位の躯体に取付けられていると共に、前記目地部側へ突出し、かつ先端部の傾斜面で上方へガイドできる固定目地カバーと、この固定目地カバーの先端部に先端部が位置し、後端部が前記左右の建物の他方の建物の目地部側の躯体に位置して、前記目地部を覆う可動目地カバーと、この可動目地カバーの後端部の上部位置の、前記他方の建物の目地部側の躯体に固定あるいは前後方向にスライド移動可能に取付けられた複数個の係合ピンを有する支承レールと、前記可動目地カバーの後端部に下端部が固定あるいはヒンジ部材を介して取付けられ、上端部が前記支承レールの複数個の係合ピンと上下移動および回動できるように係合あるいは上下移動できるように取付けられた可動目地カバーを水平状態に支持し、かつ地震で目地部が狭くなると先端部が上方へ回動し、前記固定目地カバーの先端部の可動目地カバーの支持部より可動目地カバーの先端部側の重量が大きくなると水平となるように回動させるように支持させることができる可動目地カバー支持部材とからなることを特徴とする天井用目地カバー装置。
【発明の詳細な説明】
【技術分野】
【０００１】
本発明は目地部を介して建てられた左右の建物の天井部分の目地部を覆う天井用目地カバー装置に関する。
【背景技術】
【０００２】
従来、この種の天井用目地カバー装置は、地震で目地部が狭くなるように左右の建物が揺れ動いた場合に、石膏ボードを用いた可動目地カバーの先端部を上方へ回動させ、天井裏へ呑み込ます方法が考えられている。
しかし、この方法では可動目地カバーの重量が固定目地カバーの先端部に加わり、下方へ下がってしまうという欠点があった。
【０００３】
また、可動目地カバーの後端部をヒンジ部材で他方の建物の目地部側躯体に取付けている場合、目地部が狭くなるように左右の建物が揺れ動いた場合、可動目地カバーが大きくヒンジ部材を支点として回動するため、天井とスラブ下の空間が大きくなければ可動目地カバーが回動できず、損傷するという欠点があった。
【先行技術文献】
【特許文献】
【０００４】
【特許文献１】特許第３６８８５１０号公報
【特許文献２】特許第４７６４８０６号公報
【発明の概要】
【発明が解決しようとする課題】
【０００５】
本発明は以上のような従来の欠点に鑑み、地震で目地部が狭くなっても、固定目地カバーの先端部にだけ可動目地カバーの荷重が加わるのを効率よく阻止し、固定目地カバーが下方へ下がってしまうのを防止し、かつ天井とスラブ下の空間が比較的に小さくても、可動目地カバーが作動して、損傷することなく、地震の目地部が狭くなる揺れ動きを吸収することができる天井用目地カバー装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して建てられた左右の建物の一方の建物の天井部位の躯体に取付けられていると共に、前記目地部側へ突出し、かつ先端部の傾斜面で上方へガイドできる固定目地カバーと、この固定目地カバーの先端部に先端部が位置し、後端部が前記左右の建物の他方の建物の目地部側の躯体に位置して、前記目地部を覆う可動目地カバーと、この可動目地カバーの後端部の上部位置の、前記他方の建物の目地部側の躯体に固定あるいは前後方向にスライド移動可能に取付けられた複数個の係合ピンを有する支承レールと、前記可動目地カバーの後端部に下端部が固定あるいはヒンジ部材を介して取付けられ、上端部が前記支承レールの複数個の係合ピンと上下移動および回動できるように係合あるいは上下移動できるように取付けられた可動目地カバーを水平状態に支持し、かつ地震で目地部が狭くなると先端部が上方へ回動し、前記固定目地カバーの先端部の可動目地カバーの支持部より可動目地カバーの先端部側の重量が大きくなると水平となるように回動させるように支持させることができる可動目地カバー支持部材とで天井用目地カバー装置を構成している。
【発明の効果】
【０００８】
以上の説明から明らかなように、本発明にあっては次に列挙する効果が得られる。
（１）請求項１により、地震で目地部が狭くなると、可動目地カバーの先端部が固定目地カバー上に乗り上がりながら上方へ回動し、固定目地カバーの先端部の支持部より可動目地カバーの先端部の重量が大きくなると、該可動目地カバーが水平状態となるように支承レールの複数個の係合ピンに可動目地カバー支持部材を支持させているので、構造が簡単で、容易に取付けることができる。
（２）前記（１） により、地震によって目地部の幅寸法のほぼ半分まで狭くなる揺れ動きでは、可動目地カバーが固定目地カバーの先端部の傾斜面に沿っての先端部が上方への回動によって、その揺れ動きを吸収し、それ以上狭くなる揺れ動きに時には固定目地カバーの上面に可動目地カバーを重なるように回動させ、固定目地カバーの先端部に必要以上の荷重が加わるのを阻止するとともに、可動目地カバーの先端部が大きく回動するのを阻止して、比較的天井とスラブ下の空間が狭い所にでも設置することができる。
（３）前記（１） によって、スプリング等を用いることなく、揺れ動きが停止すると、可動目地カバーの自重によって元の状態へ自動的に戻すことができる。
したがって、確実に作動し、損傷や動作不良になったりするのを確実に防止することができる。
【図面の簡単な説明】
【０００９】
【図１】本発明を実施するための第１の形態の平面図。
【図２】図１の２−２線に沿う断面図。
【図３】図１の３−３線に沿う断面図。
【図４】本発明を実施するための第１の形態の支承レールの取付け状態の説明図。
【図５】本発明を実施するための第１の形態の可動目地カバー支持部材の説明図。
【図６】本発明を実施するための第１の形態の目地部が半分ぐらい狭くなった場合の動作説明図。
【図７】本発明を実施するための第１の形態の目地部が半分以上狭くなった場合の動作説明図。
【図８】本発明を実施するための第１の形態の目地部が広くなった場合の動作説明図。
【図９】本発明を実施するための第２の形態の平面図。
【図１０】図９の１０−１０線に沿う断面図。
【図１１】図９の１１−１１線に沿う断面図。
【図１２】本発明を実施するための第２の形態の支承レールの説明図。
【図１３】本発明を実施するための第３の形態の平面図。
【図１４】図１３の１４−１４線に沿う断面図。
【図１５】図１３の１５−１５線に沿う断面図。
【図１６】本発明を実施するための第３の形態の目地部が半分以上狭くなった場合の動作説明図。
【発明を実施するための形態】
【００１０】
以下、図面に示す本発明を実施するための形態により、本発明を詳細に説明する。
【００１１】
図１ないし図８に示す本発明を実施するための第１の形態において、１は目地部２を介して建てられた左右の建物３、３の天井部位の目地部を覆う天井用目地カバー装置で、この天井用目地カバー装置１は前記左右の建物３、３の、一方の建物３の天井部位の躯体４に複数個の吊り下げ部材５を用いて取付けられた先端部が、前記目地部２の端部へ突出位置し、かつ先端部で上方へガイドできる傾斜面６の固定目地カバー７と、この固定目地カバー７の先端部に先端部が位置し、後端部が前記左右の建物３、３の他方の建物３の目地部側の側壁躯体８に位置して、前記目地部２を覆う可動目地カバー９と、この可動目地カバー９の後端部の上部位置の、前記他方の建物３の目地部側の側壁躯体８に複数本のタッピングビス１０でほぼ同一高さとなるように固定された、上方へ突出する係合ピン１１をそれぞれ有する複数個の支承レール１２と、前記可動目地カバー９の後端部の下端部がヒンジ部材１３を介して取付けられ、上端部の係合孔１４が前記支承レール１２の係合ピン１１と上下移動できるように取付けられた可動目地カバー支持部材１５とで構成されている。
【００１２】
前記複数個の支承レール１２は図４に示すように、両端部にタッピングビス挿入孔１６、１６、１６、１６が形成されたベース板１７と、このベース板１７の中央上部より直角に折り曲げられて形成された係合ピン支持台１８と、この係合ピン支持台１８の中央部に下端部が溶接によって固定された係合ピン１１とで構成されている。
【００１３】
前記可動目地カバー支持部材１５は図５に示すように、コ字状のアーム支持凹部１９の上下部にコ字状の上・下支持部２０、２１が形成された可動目地カバー支持部材本体２２と、この可動目地カバー支持部材本体２２の上支持部２０の前記支承レール１２に支持される上部片２３に形成された、前記係合ピン１１の外径寸法よりも大きく、かつ該可動目地カバー支持部材本体２２がスムーズに上方へ移動できる大きさに形成された複数個の係合孔１４と、前記アーム支持凹部１９に後端部が挿入され、溶接等で固定された複数個のアーム２４と、前記可動目地カバー支持部材本体２２の下支持部２１の下部片２５の先端部より下方へ突出するヒンジ部材取付け片２６に取付けられた後端部が他方の建物３の目地部側の側壁躯体８に当接して、通常状態では水平状態を保つように前記可動目地カバー９を回動可能に支持するヒンジ部材１３とで構成されている。
【００１４】
２７は前記可動目地カバー９の後部寄りの上面に取付けられた、前記アーム２４に支持され、該可動目地カバー９が水平状態を保てるように支持する支持プレートである。
【００１５】
上記構成の天井用目地カバー装置１は、通常時には図１ないし図３に示すように固定目地カバー７と可動目地カバー９で天井目地部２が覆われた状態となっている。
【００１６】
地震で左右の建物３、３が揺れ動き、天井目地部が半分ぐらいまで狭くなると、図６に示すように可動目地カバー９の先端部が固定目地カバー７の先端部の傾斜面６に沿って上方へ回動して、その揺れ動きを吸収する。
【００１７】
この時、可動目地カバー９の後端部はヒンジ部材１３で可動目地カバー支持部材１５に取付けられているため、ヒンジ部材１３の枢支部を支点に、可動目地カバー９はスムーズに回動することができる。
【００１８】
また、天井目地部が半分以上狭くなると、図７に示すように固定目地カバー７の先端部の可動目地カバー９を支持している支持点Ｐより、固定目地カバー７側の可動目地カバー９の重量が重くなり、可動目地カバー９が水平状態となるように回動するため、可動目地カバー支持部材１５を上方へ押し上げられる。
【００１９】
この時、可動目地カバー支持部材１５は支承レール１２の係合ピン１１に係合孔１４が係合しているため、可動目地カバー９の後端部と他方の建物３の目地部側の側壁躯体８との間に大きな隙間が生じることがない。
【００２０】
地震によって左右の建物３、３が揺れ動き、天井目地部２が広くなると、図８に示すように支承レール１２に支持された可動目地カバー支持部材１５とアーム２４に支持プレート２７を介して支持された前記可動目地カバー９は水平状態を保って固定目地カバー７より離れて、その揺れ動きを吸収する。
なお、地震での揺れ動きが停止すると、自動的に元の状態へ戻る。
【００２１】
[発明を実施するための異なる形態]
次に、図９ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図９ないし図１２に示す本発明を実施するための第２の形態において、前記本発明を実施するための第１の形態と主に異なる点は、前後方向にスライド移動する支承レール１２Ａを用いた点で、この支承レール１２Ａは他方の建物３の目地部側の側壁躯体８に所定間隔で取付けられたローラー２８を備える支持部材２９と、この支持部材２９のローラー２８によって前後方向にスライド移動する所定間隔で係合ピン１１が備えられたスライドレール３０と、このスライドレール３０の下端部の係合片３１と係合して、上方へ移動するのを阻止する係合部材３２とで構成されている。
【００２３】
このように構成された支承レール１２Ａを用いた天井用目地カバー装置１Ａは前記本発明を実施するための第１の形態と同様な作用効果が得られるとともに、左右の建物３、３が異なる前後方向に地震で揺れ動いても、支承レール１２Ａが前後方向にスライド移動して、その揺れ動きを吸収することができる。
【００２４】
図１３ないし図１６に示す本発明を実施するための第３の形態において、前記本発明を実施するための第１の形態と主に異なる点は、四角柱状の係合ピン１１Ａを設けた複数個の支承レール１２Ｂを用いるとともに、該係合ピン１１Ａと係合する長方形状の係合孔１４Ａが上部に形成され、下端部が可動目地カバー９の後端部側に固定されたほぼ三角箱形状の可動目地カバー支持部材１５Ａを用いた点で、このような複数個の支承レール１２Ｂと可動目地カバー支持部材１５Ａを用いて構成した天井用目地カバー装置１Ｂにしても、前記本発明を実施するための第１の形態と同様な作用効果が得られる。
【００２５】
なお、可動目地カバー９が水平状態に位置している場合には、複数個の係合ピン１１Ａと可動目地カバー支持部材１５Ａの係合孔１４Ａの一方の建物３側の端部が当接状態で、かつ可動目地カバー支持部材１５Ａの後端部が他方の建物３の目地部側の側壁躯体８と当接状態で、可動目地カバー９が水平状態を保ち、複数個の係合ピン１１Ａが可動目地カバー支持部材１５Ａの係合孔１４Ａの他方の建物３側へ移動することにより、可動目地カバー９の先端部が上方へ回動できる。
【００２６】
すなわち、可動目地カバー支持部材１５Ａは支承レール１２Ｂの係合ピン１１Ａと上下移動および回動できるように係合しているから、可動目地カバー９の上下移動および先端部を上方へ回動させることができる。
【産業上の利用可能性】
【００２７】
本発明は目地部を介して建てられた左右の建物の天井部分の目地部を覆う天井用目地カバー装置を製造する産業で利用される。
【符号の説明】
【００２８】
１、１Ａ、１Ｂ：天井用目地カバー装置、
２：目地部、        ３：建物、
４：天井部位の躯体、    ５：吊り下げ部材、  
６：傾斜面、        ７：固定目地カバー、
８：側壁躯体、      ９：可動目地カバー、
１０：タッピングビス、    １１、１１Ａ：係合ピン、
１２、１２Ａ、１２Ｂ：支承レール、
１３：ヒンジ部材、      １４、１４Ａ：係合孔、
１５、１５Ａ：可動目地カバー支持部材、
１６：タッピングビス挿入孔、  １７：ベース板、
１８：係合ピン支持台、    １９：アーム支持凹部、
２０：上支持部、      ２１：下支持部、
２２：可動目地カバー支持部材本体、
２３：上部片、      ２４：アーム、
２５：下部片、      ２６：ヒンジ部材取付け片、
２７：支持プレート、    Ｐ：支持点、
２８：ローラー、      ２９：支持部材、
３０：スライドレール、    ３１：係合片、
３２：係合部材。
【図１】
2014125827.tif 000003
【図２】
2014125827.tif 000004
【図３】
2014125827.tif 000005
【図４】
2014125827.tif 000006
【図５】
2014125827.tif 000007
【図６】
2014125827.tif 000008
【図７】
2014125827.tif 000009
【図８】
2014125827.tif 000010
【図９】
2014125827.tif 000011
【図１０】
2014125827.tif 000012
【図１１】
2014125827.tif 000013
【図１２】
2014125827.tif 000014
【図１３】
2014125827.tif 000015
【図１４】
2014125827.tif 000016
【図１５】
2014125827.tif 000017
【図１６】
2014125827.tif 000018